(57)【要約】【課題】テークアップ作業時に、従動軸へのごみの巻き付きを防止できる円筒部材が従動軸と一緒にコンベヤ長手方向に移動することができ、しかも、円筒部材が従動軸と一緒に回転しないように固定して、円筒部材にも長いごみが巻き付かないようにすることができる塵芥搬送用コンベヤを提供することを目的とする。【解決手段】塵芥搬送用コンベヤは、コンベヤケース２内で掻取板４を取り付けたチェーン３がスプロケット９に巻き付けられて構成され、スプロケット９を固定した従動軸８と、従動軸８を回転自在に軸支する可動部材１１と、スクリュ−ロッド１２とで構成されたテークアップ装置７を備えている。従動軸８はごみの巻き付きを防止する円筒部材２４でカバーされ、円筒部材２４は、従動軸と一緒に回転しないように、可動部材１１に立設固定した支柱２５及び板材２６からなる連結部材で可動部材１１に固定支持される。【選択図】図１
2007204210.tif 000002
【特許請求の範囲】
【請求項１】
コンベヤケース内で掻取板が取り付けられたチェーンと、前記チェーンが巻き掛けられているスプロケットとが循環走行しており、前記スプロケットの軸の周りに前記軸と一緒に回転しない塵芥巻き付き防止用カバーが取り付けられており、前記スプロケットの従動軸をコンベヤ長手方向に移動させるテークアップ装置がコンベヤテール部に設けられている塵芥搬送用コンベヤにおいて、
前記カバーは前記スプロケットの軸を内包する円筒部材で構成されており、前記テークアップ装置の前記スプロケットの前記従動軸移動に連動して前記カバーが移動できるようにテークアップの可動部材と前記カバーを連結部材で連結したことを特徴とする塵芥搬送用コンベヤ。
【発明の詳細な説明】
【技術分野】
【０００１】
本発明は、コンベヤケース内で循環走行するチェーンに取り付けた掻取板を使って塵芥を搬送するチェーンコンベヤのスプロケットの軸に繊維屑、布屑、針金、紐等の長いごみが絡み付いたり、巻き付き付いたりするのを防止するために、スプロケットの軸をカバー部材で覆った塵芥搬送用コンベヤに関する。
【背景技術】
【０００２】
一般家庭や企業あるいは工場等から排出されるごみは、焼却場にて数回の破砕作業で細かい塵芥とされた後に焼却処分される。そして、焼却場での破砕塵芥の搬送には、チェーンコンベヤを用いることがあるが、破砕された塵芥の中には長い繊維屑、布屑、針金、紐等の長いごみが混ざっている。この長いごみがチェーンコンベヤのスプロケットの軸に絡み付いたり、巻き付いたりすることがあるため長いごみがこの軸に巻付かないようにすることが必要になる。
【０００３】
従来、ごみではないが、長い根菜茎葉部をチェーンコンベヤで搬送する際、チェーンコンベヤの駆動軸や従動軸に長い茎葉部が巻き付くのを防止する手段として、人参収穫機のケース内に落下した人参などの茎葉部が駆動軸や従動軸に巻き付かないように軸の周りに巻付き防止用カバーを設けたものが公知である（特許文献１参照。）。この巻付き防止用カバーは、一枚鉄板の中央部を半円状に湾曲し、上面が平坦になっているもので、駆動軸や従動軸の上下部を覆うように、チェーンコンベヤの反転走行部の間に設けられている。
【特許文献１】特開２０００−４１４５４号公報
【発明の開示】
【発明が解決しようとする課題】
【０００４】
一般に、チェーンコンベヤを用いた搬送用コンベヤにおいては、チェーンに摩耗伸びが生じたとき、チェーンの張力、たるみ等を調整するために、コンベヤのテール部に設けられているテークアップ装置を用いてスプロケットの軸（従動軸）をコンベヤ長手方向に移動してコンベヤの機長を伸ばしている。
【０００５】
従来、チェーンコンベヤからなる搬送用コンベヤは、巻付き防止用カバーなどが設けられていないためスプロケットの軸に長いごみなどが絡みつく、という問題があった。かかる問題解決のために、前記従来の茎葉部搬送用のコンベヤのように、駆動軸や従動軸の周りに巻付き防止用カバーを取り付けた場合、コンベヤケースに固定された巻付き防止用カバーは移動できないため、テークアップ装置を用いて従動軸をコンベヤ長手方向に移動するとき、巻付き防止用カバーを取り外す作業を行わない限り、巻付き防止用カバーが邪魔になってテークアップ作業を行うことができず、コンベヤの機長を伸ばすことができない、という問題があった。また、従来の巻付き防止用カバーでは上面が平坦面であるためごみが上面に堆積する、という問題があった。さらに、人参などの茎葉部よりも細長い破砕された塵芥中のごみを従来の茎葉部搬送用のコンベヤで搬送すると、軸と巻付き防止用カバーとの間にごみが侵入して詰まり、軸が回転できなくなる、という問題があった。
【０００６】
そこで、本発明は、前述したような従来の問題点を解決し、塵芥搬送用コンベヤのスプロケットの軸を回転自在に内包する円筒部材が軸と一緒に回転しないように固定して、スプロケットの軸に長いごみが巻き付かないようにすることができると共に、円筒部材上にごみが堆積しないようにすることができ、しかも、テークアップ作業時には、ごみの巻き付きを防止する円筒部材がスプロケットの従動軸と連動してコンベヤ長手方向に移動し、テークアップ作業の邪魔にならないようにすることができる塵芥搬送用コンベヤを提供することを目的とする。
【課題を解決するための手段】
【０００７】
請求項１に係る本発明は、コンベヤケース内で掻取板が取り付けられたチェーンと、前記チェーンが巻き掛けられているスプロケットとが循環走行しており、前記スプロケットの軸の周りに前記軸と一緒に回転しない塵芥巻き付き防止用カバーが取り付けられており、前記スプロケットの従動軸をコンベヤ長手方向に移動させるテークアップ装置がコンベヤテール部に設けられている塵芥搬送用コンベヤにおいて、前記カバーは前記スプロケットの軸を内包する円筒部材で構成されており、前記テークアップ装置の前記スプロケットの前記従動軸移動に連動して前記カバーが移動できるようにテークアップの可動部材と前記カバーを連結部材で連結した塵芥搬送用コンベヤ、という構成とすることにより前記課題を解決したものである。
【発明の効果】
【０００８】
請求項１に係る本発明の塵芥搬送用コンベヤによれば、スプロケットの軸を回転自在に内包する円筒部材が軸と一緒に回転しないように固定されているので、スプロケットの軸に長いごみが巻き付かないようにすることができると共に、円筒部材上にごみが堆積しないようにすることができる。
【０００９】
また、テークアップ装置の可動部材（可動防塵板）とスプロケットの従動軸側のごみの巻き付きを防止する円筒部材が連結部材を介して固定されているので、ごみの巻き付きを防止する円筒部材を従動軸と一緒に回転しないようにすることができ、テークアップ作業を行うとき、従動軸とごみの巻き付きを防止する円筒部材とを一緒に連動することができるので、ごみの巻き付きを防止する円筒部材が従動軸に設けられていても、テークアップ作業に支障をきたさないようにすることができる。
【発明を実施するための最良の形態】
【００１０】
本発明の実施例１を図１〜図３を参照して説明する。図１はコンベヤテール部の側面図、図２はチェーン、アタッチメント及び掻取板の図示を省略したコンベヤテール部の平面図、図３は図１におけるチェーン、アタッチメント及び掻取板の図示を省略したＸ３ーＸ３線断面図である。
【００１１】
この実施例１の塵芥搬送用コンベヤに用いるチェーンコンベヤは、詳細図は省略するが、チェーンのリンクプレートにアタッチメントを取り付け、左右両側チェーンのアタッチメントにスクレーパ、フライト等の掻取板を取り付けたスクレーパ式コンベヤである。
【００１２】
チェーンコンベヤ１はコンベヤケース２内に設けられる。チェーンコンベヤ１は、その走行方向左右両側に設けられているチェーン３，３と、この左右のチェーン３，３の間に掻取板４が取り付けられ、このチェーン３が駆動軸に取り付けられたスプロケット（図示略）と、コンベヤテール部５側のテールケース６に設けられた従動軸８に取り付けられたスプロケット９とに巻き掛けられて循環走行する。
【００１３】
コンベヤテール部５に設けられたコンベヤケース２の一部であるテールケース６には、左右連動式のテークアップ装置７が設けられる。このテークアップ装置７は、左右両側のチェーン３，３が巻き掛けられる一対のスプロケット９，９と、このスプロケット９，９が両端に固定された従動軸８と、従動軸８を回転自在に軸支する軸受１０，１０が設けられた左右一対の可動部材（可動防塵板）１１，１１と、可動部材１１，１１をコンベヤ長手方向に移動させるスクリューロッド１２，１２とで構成される。可動部材１１はテールケース６に形成されたフランジからなるレール６ａで支持案内される。なお、図１における符号１０ａは軸受ブラケットである。
【００１４】
スクリューロッド１２，１２は、図１、図２に示すように、テールケース６終端の両外側に突出して形成されたフランジ１３，１３にそれぞれ取り付けられたスクリューロッド径の穴があけられたロッド受け部材１４，１４で回転自在に軸支され、スクリューロッド１２の先端側が可動部材１１から突出して形成されたフランジ１１ａに固定したナット１５に螺合する。スクリューロッド１２，１２の後端側にはそれぞれスプロケット１６，１６が取り付けられ、このスプロケット１６，１６に無端状のチェーン１７が巻き掛けられる。さらに、スクリューロッド１２、１２の後端側にはハンドルを挿入できる穴１８が設けられ、左右の穴１８，１８の一方の穴１８にハンドルを挿入して回転することにより、スプロケット１６，１６を介してスクリューロッド１２，１２が左右同時に回転し、左右の可動部材１１，１１がコンベヤ長手方向に連動して移動する。可動部材１１が前後に移動しようとする時のナット１５とスクリューロッド１２との間に発生する摩擦力の方がスクリューロッド１２を回転させる力より大きいため、可動部材１１は前後の動きを規制される。
【００１５】
コンベヤテール部５側でコンベヤケース２の一部を構成するテールケース６には、可動部材１１と共に移動する従動軸８のスライド用長孔１９及び後記する支柱２５のスライド用長孔２０が穿設されている。テークアップの動作で可動部材１１が動いてもこれらの長孔１９，２０を常に覆いコンベヤケース２の内の塵芥が外に漏れ出さないよう、図示しないが、防塵板が可動部材に取り付けられている。また、テールケース６に形成されたレール６ａとフランジ６ｂには細幅のプレート２１，２１が固定され、このプレート２１には、移動した可動部材１１を移動しないように固定する押さえねじ２２が設けられている。なお、図１、図２における符号１２ａはスクリューロッド１２に取り付けたカラーであり、２８は点検口である。
【００１６】
テークアップ装置７の可動部材１１，１１に軸受１０，１０を介して回転自在に設けられた従動軸８は、スプロケット９，９の間で、回転しないドラムからなる塵芥巻き付き防止用カバーであるごみの巻き付きを防止する円筒部材２４でカバーされている。すなわち、それぞれの可動部材１１，１１に支柱２５，２５がお互い内側に向けて立設固定され、支柱２５，２５の先端に板材２６，２６の一端が固定され、それぞれの板材２６，２６の他端にごみの巻き付きを防止する円筒部材２４の両端が溶接などにより固定支持されている。この板材２６，２６の他端には、円筒部材２４が嵌り込むような略々半円形状の切欠部が形成され、この切欠部に円筒部材２４を嵌め込んだ状態で溶接固定する。
【００１７】
上記のように、支柱２５，２５と板材２６，２６からなる連結部材を介して可動部材１１，１１に固定支持されたごみの巻き付きを防止する円筒部材２４により従動軸８がカバーされ、ごみの巻き付きを防止する円筒部材２４は従動軸８と一緒に回転しないようになっている。ごみの巻き付きを防止する円筒部材２４の内部には、スプロケット９、９のハブ９ａ，９ａに固定されたシューディスク２７，２７が設けられ、シューディスク２７，２７は従動軸８及びスプロケット９，９と共に回転する。
【００１８】
上記構成のテークアップ装置を備えた塵芥搬送用コンベヤの作用効果を以下説明する。チェーンコンベヤ１は、コンベヤケース２内で循環走行し、コンベヤケース２の上方から投入された破砕塵芥が隣り合う掻取板４，４の間に落下し、コンベヤケース２の底板２ａに堆積する。この底板２ａに沿って走行する掻取板４で塵芥を掻き取り移送し排出口から排出する。
【００１９】
この場合、投入された破砕塵芥の中に含まれている長いごみが掻取板４に引っかかってコンベヤテール部５まで運ばれ、回転する従動軸８上に近づくこともあるが、従動軸８はごみの巻き付きを防止する円筒部材２４でカバーされているため、破砕塵芥が従動軸８に巻き付いたり、絡み付くのを防止することができる。ごみの巻き付きを防止する円筒部材２４は支柱２５，２５と板材２６，２６からなる連結部材を介して可動部材１１，１１に固定支持されているので、従動軸８と共に回転せず、ごみの巻き付きを防止する円筒部材２４にも巻き付かないようにすることができ、また、ごみの巻き付きを防止する円筒部材２４が円形面のドラムからなっているため円筒部材２４上面でのごみ堆積を抑制することができる。
【００２０】
塵芥搬送用コンベヤのチェーン３が伸びたときテークアップ作業を行う。この場合、左右のうち一方のスクリューロッド１２の後端側に存在するハンドル穴１８にハンドルを挿入し回転させると、スプロケット１６も共に回転し、無端状のチェーン１７が巻き掛けられている他方のスプロケット１６及び他方のスクリューロッド１２を回転させ、スクリューロッド１２，１２に螺合しているナット１５，１５を介して、テークアップ装置７を構成している可動部材１１，１１を移動させて機長を伸ばすことにより、チェーンの張力、たるみ等を調整することができる。
【００２１】
このとき可動部材１１，１１に軸受１０，１０を介して軸支されている従動軸８と、可動部材１１，１１に支柱２５，２５と板材２６，２６からなる連結部材を介して固定されているごみの巻き付きを防止する円筒部材２４とが一緒に移動するため、従動軸８をカバーするごみの巻き付きを防止する円筒部材２４が設けられていても、テークアップ作業に支障をきたさないようにすることができる。
【００２２】
実施例２の塵芥搬送用コンベヤを図４を参照して説明する。実施例２の塵芥搬送用コンベヤは、前記実施例１におけるごみの巻き付きを防止するドラムからなる円筒部材２４をパイプに換えただけであるから、細部に亘る説明は省略し、共通する部材には同一符号を付して説明する。図４はチェーンコンベヤの図示を省略したコンベヤテール部の平面図である。
【００２３】
塵芥搬送用コンベヤは、循環走行するチェーンコンベヤの走行方向左右両側に備えられているチェーンが巻き掛けられるスプロケット９，９と、スプロケット９，９を両端に固定した従動軸８と、従動軸８を軸受１０，１０を介して回転自在に軸支する左右一対の可動部材１１，１１と、左右一対の可動部材１１，１１をコンベヤ長手方向に移動させるスクリュ−ロッド１２，１２とで構成されたテークアップ装置をコンベヤテール部５に備えている。
【００２４】
従動軸８は回転しないごみの巻き付きを防止するパイプからなる円筒部材２９でカバーされている。このパイプからなる円筒部材２９は、前記実施例１と同じように、連結部材を介して可動部材１１に支持固定されている。すなわち、可動部材１１に支柱２５が立設固定され、支柱２５の先端に板材２６の一端が固定され、板材２６の他端に円筒部材２９が溶接などにより固定されている。パイプのような小型、軽量のごみの巻き付きを防止する円筒部材２９の場合、図示のとおり、左右のうち一方の可動部材１１に支柱２５と板材２６からなる連結部材を介して円筒部材を支持固定してもよい。
【００２５】
上記構成の塵芥搬送用コンベヤは、破砕塵芥を搬送中、その中に含まれている長いごみが従動軸８上に近づくこともあるが、従動軸８はごみの巻き付きを防止するパイプからなる円筒部材２９でカバーされているため、従動軸８への巻き付き、絡み付きを防止することができ、またごみの巻き付きを防止する円筒部材２９は従動軸８と一緒に回転しないので、ごみの巻き付きを防止する円筒部材２９にも巻き付かないようにすることができる。
【００２６】
塵芥搬送用コンベヤのテークアップ作業を行う場合、一方のスクリューロッド１２の後端側に存在するハンドル穴１８にハンドルを挿入し回転させると、スプロケット１６も共に回転し、無端状のチェーン１７が巻き掛けられている他方のスプロケット１６及び他方のスクリューロッド１２を回転させ、スクリューロッド１２，１２に螺合しているナット１５，１５を介して、可動部材１１，１１を移動させて機長を伸ばすことにより、チェーンの張力、たるみ等を調整することができる。
【００２７】
このとき可動部材１１，１１に軸受１０，１０を介して軸支されている従動軸８と、可動部材１１，１１に支柱２５、板材２６からなる連結部材を介して一端が固定されているごみの巻き付きを防止する円筒部材２９とが一緒に移動するため、従動軸８をカバーするごみの巻き付きを防止する円筒部材２９が設けられていても、テークアップ作業に支障をきたさないようにすることができる。勿論、テークアップする従動軸以外の従動軸や駆動軸の周りもごみの巻き付きを防止するドラム、もしくはパイプからなる円筒部材がコンベヤケース内側に溶接等で固定さている。
【００２８】
実施例１，２では、左右一対のチェーンと、この２条のチェーンの間に取り付けた掻取板で塵芥を搬送するスクレーパ式コンベヤを説明したが、真ん中に１条のチェーンが位置し、左右に突き出した掻取板で塵芥を搬送するスクレーパ式コンベヤとしてもよい。
【図面の簡単な説明】
【００２９】
【図１】本発明実施例１の塵芥搬送用コンベヤのコンベヤテール部の側面図である。
【図２】チェーン、アタッチメント及び掻取板の図示を省略したコンベヤテール部の平面図である。
【図３】図１におけるチェーン、アタッチメント及び掻取板の図示を省略したＸ３ーＸ３線断面図である。
【図４】実施例２のチェーン、アタッチメント及び掻取板の図示を省略したコンベヤテール部の平面図である。
【符号の説明】
【００３０】
１      チェーンコンベヤ            ２      コンベヤケース
２ａ    底板                        ３      チェーン
４      掻取板                      ５      コンベヤテール部
６      テールケース                ６ａ    レール
６ｂ    フランジ                    ７      テークアップ装置
８      従動軸                      ９      スプロケット
９ａ    スプロケットのハブ          １０    軸受
１０ａ  軸受ブラケット              １１    可動部材
１１ａ  フランジ                    １２    スクリューロッド
１２ａ  カラー                      １３    フランジ
１４    ロッド受け部材              １５    ナット
１６    スプロケット                １７    チェーン
１８    ハンドルを挿入する穴        １９    従動軸スライド用の長孔
２０    支柱スライド用の長孔        ２１    プレート
２２    押さえねじ                  ２４，２９  ごみの巻き付きを防止する円筒部材
２５    支柱                        ２６    板材
２７    シューディスク              ２８    点検口
【図１】
2007204210.tif 000003
【図２】
2007204210.tif 000004
【図３】
2007204210.tif 000005
【図４】
2007204210.tif 000006